(57)【要約】      （修正有）【課題】静電気放電対策の実効性を向上させ、摺動ノイズが少ない光ディスク駆動装置を提供する。【解決手段】ローディングメカがシャーシに対して進退する際にガイドレール７ｂに接する導電体４０を備え、ガイドレールの導電体に接する面は第１の領域と第２の領域とを備え、第１の領域は第２の領域より導電体側に近接する端面を有し、ローディングメカが光ディスクの脱着を可能とする第１の状態では、導電体は第１の領域に接触し、ローディングメカがシャーシ内に収容される第２の状態から第１の状態の間で移動する際、導電体は第２の領域に接触する。【選択図】図３
2012252752.tif 000002
【特許請求の範囲】
【請求項１】
シャーシと、
当該シャーシに対して進退するローディングメカと、
前記ローディングメカに搭載された、光ピックアップと光ディスクの回転駆動装置と、
前記シャーシに対する前記ローディングメカの進退をガイドするガイドレールと、
前記ガイドレールを前記シャーシに対して保持するガイドレール保持部材と、
前記ローディングメカに固定され、かつ、当該ローディングメカが前記シャーシに対して進退する際に前記ガイドレールに接する導電体と、
を備え、
前記ガイドレールの前記導電体に接する面は、第１の領域と第２の領域とを備え、
前記第１の領域は、前記第２の領域より前記導電体側に近接する端面を有し、
前記ローディングメカが前記光ディスクの脱着を可能とする第１の状態では、前記導電体は前記第１の領域に接触し、
前記ローディングメカが前記シャーシ内に収容される第２の状態から前記第１の状態の間で移動する際、前記導電体は前記第２の領域に接触している、
光ディスク駆動装置。
【請求項２】
前記導電体は弾性変形して前記ガイドレールに接触している、請求項１記載の光ディスク駆動装置。
【請求項３】
前記ガイドレールの前記導電体に接触する面に凹状部を形成され、前記第２の領域を前記凹状部とする、請求項１記載の光ディスク駆動装置。
【請求項４】
前記第２の領域の途中に当該第２の領域より前記導電体側に近接する端面を持った第３の領域が形成されている、請求項１記載の光ディスク駆動装置。
【請求項５】
シャーシと、
当該シャーシに対して進退するローディングメカと、
前記ローディングメカに搭載された、光ピックアップと光ディスクの回転駆動装置と、
前記シャーシに対する前記ローディングメカの進退をガイドするガイドレールと、
前記ガイドレールを前記シャーシに対して保持するガイドレール保持部材と、
前記ローディングメカに固定され、かつ、当該ローディングメカが前記シャーシに対して進退する際に前記ガイドレールに接する導電体と、を備える光ディスクの放電方法において、
前記ローディングメカが前記光ディスクの脱着を可能とする第１の状態では、前記導電体は前記ガイドレールに第１の接触圧で接触し、
前記ローディングメカが前記シャーシ内に収容される第２の状態から前記第１の状態の間で移動する際、前記導電体は前記ガイドレールに前記第１の接触圧より低い第２の接触圧で接触している、光ディスク駆動装置の放電方法。
【発明の詳細な説明】
【技術分野】
【０００１】
本発明は、静電気放電：Electrostatic discharge（ＥＳＤ）に対する対策が施された光ディスク駆動装置及びその放電方法に関するものである。
【背景技術】
【０００２】
光ディスク駆動装置は、パソコン等の情報処理装置の外部記憶装置として利用されている。光ディスク駆動装置は、シャーシと、シャーシ内外を進退するローディングメカと、を主に備え、シャーシから露出したローディングメカに、コンシューマが光ディスクを装着した後ローディングメカをシャーシ内に移動させることによって、光ディスクの記録情報の再生又は光ディスクへの情報記録を可能とする。
【０００３】
光ディスク駆動装置において、ローディングメカは、ガイド機構によって支持されながら移動する。ガイド機構のうちローディングメカを案内するガイドドレールは、シャーシのレール保持部材に保持されながらシャーシの内外を進退し、さらに、ローディングメカがガイドレールに対して相対移動する。したがって、ローディングメカはシャーシの内外を移動することができる。
【０００４】
光ディスク駆動装置では、コンシューマがローディングメカに光ディスクを装着する際、コンシューマから静電気がローディングメカを通して電子部品に向けて放電されることがある。この放電によって、電子部品の誤作動やその損傷に繋がるおそれがあり、特に、ローディングメカにスピンドルモータや光ピックアップが固定されている、スリムタイプの光ディスク駆動装置では、ローディングメカの金属部分を介して容易に放電が発生するために、電子部品の誤作動や損傷のおそれがより高い。そこで、従来の光ディスク駆動装置ではＥＳＤ対策が必要になっている。
【０００５】
ＥＳＤ対策が施された光ディスク駆動装置の従来例として、例えば、特開２００３−１８７５１４号公報に記載されたものが存在する。このものは、ディスクの情報記録面に光を照射し、信号の記録、再生のいずれか一方または両方を行う光ディスク装置において、少なくとも上記ディスクを装置への脱着のために第１、第２の位置間で移動するローディングメカと、該ローディングメカの移動を案内するレール部材と、該レール部材を保持するレール保持部材と、を備え、少なくとも、上記ローディングメカ、上記レール部材、上記レール保持部材のいずれかが、その一部または全部を導電性樹脂で構成され、該３者間で電気的に導通可能とされることを特徴とする。
【０００６】
ＥＳＤ対策をより一層効果的にした光ディスク駆動装置として、放電用の導電体をローディングメカとガイドレールとの間に介装させ、導電体もローディングメカと一緒にガイドレールを摺動するようにして、コンシューマからローディングメカ側に放電された静電気を、導電体を介して、ガイドレールからシャーシを経て、ひいてはパソコンのアースに放電させるものも存在する。
【先行技術文献】
【特許文献】
【０００７】
【特許文献１】特開２００６−３４５９１号公報
【発明の概要】
【発明が解決しようとする課題】
【０００８】
ローディングメカからガイドレールへの放電を効果的に進めるためには、導電体がガイドレールに接触する際の接触圧は高い方がよい。一方、ローディングメカの移動と一緒に導電体もガイドレールを繰り返し摺動するために、接触圧が高いと導電体の摩耗や塑性変形等の経年変化によって、導電体とガイドレールとの間の接触の程度が低下して、結果的に放電不良が発生するおそれがある。また、接触圧が高いと導電体がガイドレールに摺動する際に摺動ノイズが発生するおそれもある。したがって、従来の光ディスク駆動装置では、導電体の係る経年変化を避けるあまり、導電体のガイドレールに対する接触圧が十分とはいえず、ＥＳＤ対策の実効性が伴わないものであった。
【０００９】
そこで、本発明は、ＥＳＤ対策の実効性を向上させた光ディスク駆動装置及びその放電方法を提供することを目的とする。本発明の他の目的は、静電気の放電用の導電体とガイドレールとの接触が導電体の経年変化によって不良とならないようにする光ディスク駆動装置及びその放電方法を提供することにある。本発明の更に他の目的は、導電体の経年変化を無くすか、これを極小化できる、ガイドレールの構造を備えた光ディスク駆動装置及びその放電方法を提供することにある。本発明の更に他の目的は、放電性を高めながらローディングメカの摺動ノイズが少ない光ディスク駆動装置及びその放電法を提供することにある。
【課題を解決するための手段】
【００１０】
前記目的を達成するために、本発明に係る光ディスク駆動装置は、シャーシと、当該シャーシに対して進退するローディングメカと、前記ローディングメカに搭載された、光ピックアップと光ディスクの回転駆動装置と、前記シャーシに対する前記ローディングメカの進退をガイドするガイドレールと、前記ガイドレールを前記シャーシに対して保持するガイドレール保持部材と、前記ローディングメカに固定され、かつ、当該ローディングメカが前記シャーシに対して進退する際に前記ガイドレールに接する導電体と、を備え、前記ガイドレールの前記導電体に接する面は第１の領域と第２の領域とを備え、前記第１の領域は前記第２の領域より前記導電体側に近接する端面を有し、前記ローディングメカが前記光ディスクの脱着を可能とする第１の状態では、前記導電体は前記第１の領域に接触し、前記ローディングメカが前記シャーシ内に収容される第２の状態から前記第１の状態の間で移動する際、前記導電体は前記第２の領域に接触している、ことを特徴とするものである。
【００１１】
さらに、前記目的を達成するために、本発明に係る光ディスクの駆動装置の放電方法は、シャーシと、当該シャーシに対して進退するローディングメカと、前記ローディングメカに搭載された、光ピックアップと光ディスクの回転駆動装置と、前記シャーシに対する前記ローディングメカの進退をガイドするガイドレールと、前記ガイドレールを前記シャーシに対して保持するガイドレール保持部材と、前記ローディングメカに固定され、かつ、当該ローディングメカが前記シャーシに対して進退する際に前記ガイドレールに接する導電体と、を備える光ディスクの放電方法において、前記ローディングメカが前記光ディスクの脱着を可能とする第１の状態では、前記導電体は前記ガイドレールに第１の接触圧で接触し、前記ローディングメカが前記シャーシ内に収容される第２の状態から前記第１の状態の間で移動する際、前記導電体は前記ガイドレールに前記第１の接触圧より低い第２の接触圧で接触している、ことを特徴とするものである。
【発明の効果】
【００１２】
本発明によれば、ローディングメカに光ディスクの脱着をされるような、放電性が要求される第１の状態では、導電体はガイドレールの第１の領域に放電性に必要な接触圧を持って接触する、一方、それ以外の状態では、導電体はガイドレールに適度な接触圧で接触するため、ローディングメカのシャーシに対する進退が繰り返しあっても、導電体の摩耗などの経年変化を抑制することできる。したがって、本発明によれば、ＥＳＤ対策の実行性が向上した光ディスク装置を提供することができる。
【図面の簡単な説明】
【００１３】
【図１】本発明に係る光ディスク装置の一形態の分解斜視図である。
【図２】トレーの開口部に底面側からベースユニットが固定される様子を示す、図１と同様な斜視図である。
【図３】光ディスク駆動装置の一部拡大斜視図である。
【図４】放電用の導電体の斜視図である。
【図５Ａ】図５Ａはガイドレールの斜視図である。
【図５Ｂ】図５Ａのガイドレールを矢印５Ｂの方向から見たガイドレールの図である。
【図５Ｃ】図５Ｂを矢印５Ｃの方向から見たガイドレールの図である。
【図６】ガイドレール（図５Ｃ）の幅方向の断面をＩ−Ｉ方向から描いたガイドレールの断面図である。
【図７Ａ】ガイドレールの下端に導電体の弾性変形部が接触している状態でのガイドレールの径方向断面図（図６に対応）である。
【図７Ｂ】導電体のガイドレールに対する接触構造の他の形態を示す、ガイドレールの径方向の断面図である。
【図８】ガイドレールと導電体との組み付け状態を示す斜視図である。
【図９】ガイドレートと導電体との接触構造の模式図であり、図８の矢印ＩＸ方向から導電体を見た構造図である。
【図１０Ａ】従来技術における、ガイドレールの形態の概要を示す、ガイドレールの側面図を示す模式図である。
【図１０Ｂ】導電体がガイドレールと接触する際、導電体のテンションを下げるための、ガイドレールの形態の改良の第１形態に相当する、ガイドレールの側面図を示す模式図である。
【図１０Ｃ】導電体がガイドレールと接触する際、導電体のテンションを下げるための、ガイドレールの形態の改良の第２形態に相当する、ガイドレールの側面図を示す模式図である。
【図１０Ｄ】導電体がガイドレールと接触する際、導電体のテンションを下げるための、ガイドレールの形態の改良の第３形態に相当する、ガイドレールの側面図を示す模式図である。
【図１０Ｅ】導電体がガイドレールと接触する際、導電体のテンションを下げるための、ガイドレールの形態の改良の第４形態に相当する、ガイドレールの側面図を示す模式図である。
【図１１Ａ】導電体がガイドレールの凹部の下面に接触する変形例に係る、ガイドレールの斜視図である。
【図１１Ｂ】導電体がガイドレールの凹部の側面に接触する変形例に係る、ガイドレールの斜視図である。
【発明を実施するための形態】
【００１４】
次に本発明の実施形態について説明する。図１に、本発明に係る光ディスク駆動装置の一形態の分解斜視図を示す。本発明に係る光ディスク装置は、シャーシ１００と、シャーシに光ディスクをローディングするためのローディングメカ１０２と、を備えている。ローディングメカ１０２は光ディスクのローディングのためにシャーシ１００内外を進退する。図１は、ローディングメカ１０２が、光ディスクの装着又は取り外しのために、シャーシ１００の外に露出している状態を示している。ローディングメカ１０２がこの状態にあることを、ローディングメカ１０２がローディング位置にあると、以下称する。
【００１５】
シャーシ１００は金属製のトップケース５とボトムケース４とを備え、トップケース５とボトムケース４とによって構成される断面矩形の空間内にローディングメカ１００を収容する。ボトムケース４には、メイン回路基板２、フレキシブル基板３、そして、後述のガイドレール７ａ，７ｂを保持するレール保持部材８ａ，８ｂと、が設けられている。
【００１６】
メイン回路基板２は、光ディスクの再生又は記録に必要な信号処理のための信号処理回路、光ピックアップ１０やスピンドルモータ９等の駆動のための駆動回路、光ピックアップ１０やスピンドルモータ９等の駆動を制御する等のための制御回路等を備えている。フレキシブル基板３は、メイン回路基板２と光ピックアップ１０やスピンドルモータ９とを接続する。
【００１７】
ローディングメカ１０２は、樹脂製のトレー６に金属製のベースユニット１が固定された構造から構成されている。ベースユニット１は、ベースユニットハウジング１４にスピンドルモータ９と光ピックアップ１０と光ピックアップを光ディスクの径方向に移動させる光ピックアップ駆動機構とを備えたものとして構成されている。図２はトレー６の底面側からトレーの開口部３２にゴムブッシュ２２を介してベースユニット１が固定される様子を示している。なお、符号３０は、ベースユニットのボトムカバーである。
【００１８】
ローディングメカ１０２とシャーシ１００との間には、ローディングメカ１０２に沿ってガイドレール７ａ，７ｂが存在する。ガイドレール７ａ，７ｂは互いに平行で一対存在し、それぞれのガイドレールにローディングメカ１００のトレー６の左右何れかの側端部が摺動可能に係合している。
【００１９】
ガイドレール保持部材８ａ，８ｂはトップケース５とボトムケース４とからなるシャーシ内の両側縁に互いに平行に一対存在し、ガイドレール保持部材８ａ（８ｂ）に対して同じ側のガイドレール７ａ（７ｂ）が摺動可能に係合している。図示しない駆動機構によってローディングメカ１０２がシャーシ１００の内から外に移動する際、先ず、ガイドレール７ａ，７ｂがガイドレール保持部材８ａ，８ｂに対してこれと摺動しながら相対移動してシャーシ外に移動し、そして、ローディングメカ１０２が、ガイドレール７ａ，７ｂによって案内されつつこれと摺動しながら、ガイドレールに対して相対移動し、その結果として、ローディングメカ１０２は、スピンドルモータ９に光ディスクを装着するか、スピンドルモータ９から光ディスクを外すことができる、ローディング位置に至る。
【００２０】
次に、ローディングメカ１０２から静電気をガイドレール７ａ，７ｂに放電するための導電体について説明する。図１及び２では、説明の都合上導電体の図示を省略したが、図３には、導電体を説明するための、光ディスク駆動装置の一部拡大斜視図を示した。
【００２１】
図３では、導電体４０は一対あるガイドレール７ａ，７ｂのうちの一方に対して存在する。光ディスク駆動装置を正面から見て右側面に位置するガイドレール７ｂの近傍、すなわち、ガイドレール７ｂに導電体４０が当接できるように、ローディングメカ１の上面に導電体４０を固定した。もっとも、導電体４０を左側面に位置するガイドレール７ａの側に設けてもよく、或いは、左右の側のガイドレール７ａ，７ｂの側のそれぞれに導電体４０を設けてもよい。
【００２２】
導電体４０は、図４に示すように、薄肉状の導電性プレートから構成されている。導電体４０は主として金属製であるが、導電性樹脂など素材の如何は制限されない。以後、導電体４０を「プレート」と呼ぶ。プレート４０は、プレート本体４２と、プレート本体４２のシャーシ側先端付近から上方に湾曲しながらシャーシ側に向かって延長する付属体４４を備えている。符号４６は付属体４２のうちの湾曲に形成された弾性変形部である。プレート本体４２と付属体４４とは一体に成形されている。
【００２３】
プレート本体４２には、ローディングメカ１０２にプレート本体を固定するための複数のボルト孔５０ａ〜５０ｄがプレート本体４２の長さ方向に沿って存在する。シャーシ側の孔５０ｃ，５０ｄはボルトによってトレー６の上面に固定され、シャーシ側とは反対側にある孔部５０ａ，５０ｂベースユニットハウジング１４の上面に固定されている。したがって、プレート４０はローディングメカ１０２と一体になって移動する。
【００２４】
図５Ａはガイドレール７ｂ（７ａ）の斜視図であり、図５Ｂはガイドレールを矢印５Ｂの方向から見た図であり、図５Ｃは図５Ｂのガイドレールを矢印５Ｃの方向から見た図である。さらに、図６はガイドレール（図５Ｃ）の幅方向の断面をＩ−Ｉ方向から見た断面図である。
【００２５】
図６から分かるように、ガイドレール７ｂ（７ａ）はその幅方向の断面が鍵状のレ―ルであって、導電材料（金属又は導電性樹脂等）から形成されてなり、内部の凹状空間部５０にローディングメカ１０２のトレー６の側面が係合している。
【００２６】
図８はガイドレール７ｂ（７ａ）とプレート４０との組み付け状態を示す斜視図であり、プレート４０はガイドプレート７ａ（７ｂ）に近接しながらローディングメカ１０２に固定され、プレート本体４０の横の付属体４２の逆Ｕ様状に形成された弾性変形部４６の上端領域がガイドレール７ｂ（７ａ）の接触端面と当接している。プレート４０の付属体４４の弾性変形部４６は板バネ構造を形成しており、弾性変形部４６がガイドレール７ｂ（７ａ）に接触する際に所定の接触圧を持ってガイドレールの接触面に接触している。したがって、ローディングメカ１０２が移動するとプレート４０はガイドレール摺動しながら移動する。
【００２７】
図９はガイドレート７ｂ（７ａ）とプレート４０との接触構造の模式図であり、図８の矢印ＩＸ方向からプレート４０を見た構造図である。７００はガイドレール７ｂ（７ａ）のプレート４０側と接触する下端面である。プレート４０の付属体４４の弾性変形部４６の上端領域がガイドレール７ｂ（７ａ）の下端面７００に弾性的に接触する。
【００２８】
図５Ｂ，５Ｃに示すように、ガイドレール７ｂ（７ａ）の上面５０２のローディングメカの中心側端部はローディングメカ１０２に向かって直角に下降したフランジ５００を形成され、その下端７００はプレート４０の弾性変形部４６の端部領域と接触している。図７Ａには、ガイドレールの下端７００にプレート４０の付属体４４の弾性変形部４６が接触している状態でのガイドレールの径方向断面図（図６に対応）が示されている。
【００２９】
図７Ｂはプレート４０のガイドレール７ｂ（７ａ）に対する接触構造の他の形態を示す、ガイドレールの径方向の断面図であり、ガイドレール内の凹部５０にプレートの付属体４４が延長され、弾性変形部４６がガイドレール内の凹部５０内の上面７０２に接触している。ガイドレールの下端７００は切断加工のままであることが通常であり、図７Ａに示す、プレート４０とガイドレール７ｂ（７ａ）との接触構造では、下端７００に露出する微小な凹凸がプレート４０の弾性変形部４６と当接するため、摺動ノイズの発生やプレートの摩耗のおそれがより多くある。
【００３０】
一方、図７Ｂの形態では、ガイドレールの凹部５０の上面７０２は下端７００とは違い切断面ではないため、摺動ノイズの発生やプレートの摩耗のおそれはより少ない。一方、プレートの付属体４４をガイドレールの凹部５０内に延長しなければならないため、プレート４０をガイドレール７ｂ（７ａ）とローディングメカ１０２との間に介装させる上での制約が生じるおそれがある。したがって、好適には、図７Ｂの形態で、ガイドレールの下端７００の破断面を滑らかになるように表面処理することが好ましい。
【００３１】
既述のとおり、ローディングメカ１０２の移動にしたがってプレート４０はガイドレール７ａ，７ｂに接触しながらこれと摺動する。図１０Ａにおいて、符号１０００と符号１００２とによって画成される範囲は、プレート４０がガイドレール７ａ，７ｂに対して成す相対移動範囲であり、符号１０００はローディングメカ１０２がシャーシ１００内に収まった状態での位置であり、符号１００２はローディングメカ１０２がシャーシ１００から露出して既述のローディング位置に至った際の位置である。
【００３２】
図１０Ａは、ガイドレール７ａ，７ｂとプレート４０との関係についての従来構造の模式図である。Ｈはガイドレールの上端からプレート４０の弾性変形部４６と接触する下端７００までの距離（ガイドレールの高さ）である。Ｈが大きいほど、プレートの弾性変形部４６の弾性変形量が大きくなって、プレートがガイドレールに接触する際の接触圧が増加する。
【００３３】
ローディングメカ１０２がシャーシ１００内からシャーシ１００外（ローディング位置）に移動する際、プレート４０は、符号１０００位置から符号１００２の位置まで、ガイドレール７ａ，７ｂに対してＬ１で示す距離分相対移動する。一方、ローディングメカ１０２がシャーシ１００外（ローディング位置）からシャーシ１０２内に移動する際には、これとは逆方向に、プレート４０がガイドレール７ａ，７ｂに対して相対移動する。
【００３４】
プレート４０の弾性変形部４６がガイドレール７ａ，７ｂに接触圧がより強く接触しようとすると、既述のとおり、摺動ノイズの発生やプレートの摩耗による放電不良のおそれがある。一方、接触圧を弱くすると、これらの課題は少なくなるものの、プレートとガイドレールとの接触が十分でなくなることによって、ベースユニット１の帯電がプレート４０からガイドレール７ａ，７ｂを経てレール保持部材８ａ，８ｂに至り、ひいては、ボトムケース４を介して放電されるという放電ルートが維持できないおそれがある。
【００３５】
そこで、発明者はこれらの課題を解決するために、ガイドレール７ａ，７ｂの形状を改良して、摺動ノイズの低減・プレート４０の摩耗の低減と、放電性の向上という、従前は相反するとされていた要求の両立を図った。すなわち、光ディスク駆動装置において、放電が必要なのは、ローディングメカ１０２がシャーシ１００から露出して、コンシューマが光ディスクをローディングメカ１０２に装着できるか、又は、光ディスクをローディングメカ１０２から取り外す際である。この時、コンシューマに帯電した静電気がローディングメカ１０２に放電されるおそれがある。
【００３６】
一方、光ディスクをローディングメカ１０２に装着した後ローディングメカ１０２がシャーシ１００内外を移動する間では、静電気がローディングメカ１０２に放電されるおそれは比較的少ない。そこで、プレート４０の移動範囲の手前側端部の位置（１００２）の近傍領域（図１０ＡのＬ２）において、プレート４０はガイドレール７ａ，７ｂに十分な接触圧を持って接触し、この領域から先の領域（Ｌ１−Ｌ２）、すなわち、ローディングメカ１０２が光ディスクのローディング位置から離れてシャーシ１００側に移動する遷移領域では、プレート４０の接触圧を低くして摺動ノイズやプレートの摩耗を少なくするようにした。
【００３７】
プレート４０の弾性変形部４６のガイドレール７ａ，７ｂに対する接触圧を調整するために、発明者は、ガイドレールの形状を工夫した。すなわち、図１０Ｂのように、第１の形態では、既述の遷移領域において、ガイドレール７ａ，７ｂのプレート４０との接触面を、ガイドレールの長さ方向で、ガイドレールの上下方向に変形する環状の凹部１００４の形状にして、プレート４０の弾性変形部４６の弾性変形量を低減し、弾性変形部４６に加わるテンションを下げるようにした。
【００３８】
第１の形態では、遷移領域における、ガイドレール７ａ，７ｂの最も凹状の部分では、ガイドレールの高さ（Ｈ−１）を、ガイドレール端部の高さ（Ｈ）の５０％〜８０％にした。係る高さ（Ｈ−１）は、ガイドレールに対するプレートの接触圧を既述の範囲に設定するために適宜決定できるもので、特定の値に制限されるものではない。換言すれば、摺動ノイズの低減・プレートの摩耗の低減と、放電性の向上という既述の効果が満たされる範囲のガイドレールの高さの変更は本発明の範囲である。
【００３９】
次に第２の形態は、図１０Ｃに示すように、ガイドレール７ａ，７ｂの下端面を略矩形の凹部１００６に形成したことを特徴としている。なお、この形態での凹部の開始端の近傍及び終了端の近傍は、ガイドレールの高方向に向かって縮径するテーパ状にし（１０１０）、プレート４０のガイドレール７ａ，７ｂに対する移動が円滑に連続するようにしている。凹部１００６におけるガイドエールの高さ（Ｈ−２）はガイドレールの本来の高さ（Ｈ）の５０％〜８０％である。
【００４０】
第１の形態及び第２の形態は、ガイドレール７ａ、７ｂのプレート４０との接触面を凹状に加工したものであるが、第３の形態は、図１０Ｄのように、ガイドレール７ａ，７ｂの遷移領域を凹状に成形するのではなく、ガイドレールの元々の高さ（Ｈ）を、プレートとの接触圧が強くならないように比較的少さく設定し、ローディングメカ１０２がローディング位置にある近傍領域（Ｌ２）ではガイドレールの実質の高さ（Ｈ−３）を増すために、当該領域に小レール１００８を付加させたことを特徴とする。
【００４１】
ガイドレールの実質の高さ（Ｈ−３）はガイドレールの本来の高さ（Ｈ）の１０％〜５０％増しとするが、適宜変更可能である。なお、ガイドレールの長さ方向におけるプレートの移動範囲（Ｌ１）の幅に対する前記近傍領域（Ｌ２）の割合は、例えば、前者の１０％から３０％であるが、適宜変更してよい。Ｌ１の一例は６０ｍｍ程度であり、Ｌ２の一例は１０ｍｍ程度である。
【００４２】
第４の形態は、図１０Ｅに示すように、ガイドレール７ａ，７ｂの凹状部１００６の途中に、ガイドレールの下端面を実質的にプレート４０側にオフセットするための、限られた長さの付加体１０１２を設けたことを特徴とする。（Ｈ−４）から（Ｈ−２）を差し引いた分、ガイドレールの下端面が実質的にプレート側４０にオフセットされる。この付加体１０１２にプレート４０の弾性変形部４６が到達すると、弾性変形部４６のテンションが一時的に増加して放電性が向上する。この形態では、ローディンメカ１０２が移動の途中で仮に帯電するようなことがあっても静電気を確実に放電できるという効果が達成される。付加体１０１２の高さ、長さは適宜設定可能である。
【００４３】
既述の実施形態では、スリムタイプの光ディスク駆動装置について説明したが、光ピックアップ、スピンドルモータをシャーシ側に設けたタイプの光ディスク駆動装置に本発明を適用することは可能である。また、導電体をプレート状のものとして説明したが、導電体が弾性変形してガイドレールに接触できるものであれば、コイル状など、導電体の形状には特に制限はない。
【００４４】
既述の図７Ｂでは、プレート４０の弾性変形部４６を、ガイドレールの凹部５０の上面に接触させたが、図１１Ａのように、ガイドレールの下端面１０２０に、プレートの弾性部４６を接触させてもよい。このような接触構造を形成するために、プレート４０の付属体４４はガイドレールの下端面１０２０に向かって延長されそして湾曲される。符号１０２０Ａは、プレートの弾性変形部４６の接触圧を増すための段差部である。
【００４５】
さらにまた、図１１Ｂのように、プレート４０の弾性変形部４６をガイドレールの凹部５０の側面１０２２に接触させるようにしてもよい。このような接触構造を形成するために、プレート４０の付属体４４はガイドレールの側面１０２２に向かって延長されそして湾曲される。符号１０２２Ａは、プレートの弾性変形部４６の接触圧を増すための段差部である。
【符号の説明】
【００４６】
４  ボトムケース
５  トップケース
６  トレー
７ａ，７ｂ  ガイドレール
８ａ，８ｂ  ガイドレール保持部材
９  スピンドルモータ
１０  光ピックアップ
４０  プレート（導電体）
１００  シャーシ
１０２  ローディングメカ
【図１】
2012252752.tif 000003
【図２】
2012252752.tif 000004
【図３】
2012252752.tif 000005
【図４】
2012252752.tif 000006
【図５Ａ】
2012252752.tif 000007
【図５Ｂ】
2012252752.tif 000008
【図５Ｃ】
2012252752.tif 000009
【図６】
2012252752.tif 000010
【図７Ａ】
2012252752.tif 000011
【図７Ｂ】
2012252752.tif 000012
【図８】
2012252752.tif 000013
【図９】
2012252752.tif 000014
【図１０Ａ】
2012252752.tif 000015
【図１０Ｂ】
2012252752.tif 000016
【図１０Ｃ】
2012252752.tif 000017
【図１０Ｄ】
2012252752.tif 000018
【図１０Ｅ】
2012252752.tif 000019
【図１１Ａ】
2012252752.tif 000020
【図１１Ｂ】
2012252752.tif 000021